(57)【要約】【課題】  コンクリート打設現場で、作業終了後にコンクリートポンプ車に残留する残こん、その洗浄によるコンクリート汚水を掻き出し、下で受搬送具に受け、この受搬送具を昇降機で吊り上げて残こん及びコンクリート汚水がコンクリートミキサー車のポッパへ注入され、コンクリートミキサー車のプラントへ運ばれ、再利用処理がされる。【解決手段】  受搬送具が、円形チューブの空気フェンスと、該空気フェンスの底面に緊張される底面シートと、場合によっては、この底面シートの外周へ放射状に延展する残こん及びコンクリート汚水の飛散を受け止める延展シートとで構成され、底面シートの中央には、排出ノズルを備え、且つ底面シートの下側面には、少なくとも２本の吊り紐が排出ノズルを囲むように交差させて強固に貼着配設されているコンクリートポンプ車の残こん処理装置である。【選択図】図１
2008075442.tif 000002
【特許請求の範囲】
【請求項１】
コンクリート打設現場で、作業終了後に、コンクリートポンプ車に残留する残こん、その洗浄によるコンクリート汚水を掻き出し、下で受搬送具に受け、この受搬送具をクレーン等の昇降機で吊り上げて、残こん、及びコンクリート汚水がコンクリートミキサー車のホッパへ注入され、コンクリートミキサー車でプラントへ運ばれ、再利用できる処理がされるにあたって、受搬送具が、円形チューブの空気フェンスと、該空気フェンスの底面に緊張される底面シートとで構成され、底面シートの中央には排出ノズルを備え、且つ底面シートの下側面には少なくとも２本の吊り紐が、排出ノズルを囲むように交差させて、強固に貼着配設されていることを特徴とするコンクリートポンプ車の残こん処理装置。
【請求項２】
受搬送具が、円形チューブの空気フェンスと、該空気フェンスの底面に緊張される底面シートと、この底面シートの外周へ放射状に延展する、残こん及びコンクリート汚水の飛散を受け止める延展シートとで構成され、底面シートの中央には排出ノズルを備え、且つ底面シートと延展シートとの下側面には少なくとも２本の吊り紐が、排出ノズルを囲むように交差させて、強固に貼着配設されていることを特徴とする請求項１記載のコンクリートポンプ車の残こん処理装置。
【請求項３】
受搬送具の空気フェンスは、少なくとも２個の円形チューブを嵩高に積み重ねられ、その相互の空気が流通可能とし、且つ、空気注入口を頂部に、空気抜き口を底部に形成することを特徴とする請求項１乃至２のいずれか１項に記載のコンクリートポンプ車の残こん処理装置。
【請求項４】
受搬送具が、少なくとも空気フェンスの内側面、及び底面シートの上側面には、ゴムをラミネートするか、又はこれら部分をゴム製とすることを特徴とする請求項１乃至３のいずれか１項に記載のコンクリートポンプ車の残こん処理装置。
【請求項５】
受搬送具の排出ノズルは、底面シート下側面の中央に垂下し、排出ノズルを開閉する信玄袋の口のような締め括り紐が備えられていることを特徴とする請求項１乃至４のいずれか１項に記載のコンクリートポンプ車の残こん処理装置。
【請求項６】
受搬送具の排出ノズルは、底面シート下側面の中央に垂下し、その自由端口部には、硬質のリングが装着され、底面シートに吊り紐から排出ノズル基部へ配設された補強紐の排出ノズル側端に少なくとも２組の安全バックルとベルトでなる括り締め止め具が備えられ、排出ノズルを捩り、排出ノズル内へ挿入盛込む状態で、自由端口部のリングが括り締め止め具をもって安全締着されることを特徴とする請求項１乃至４のいずれか１項に記載のコンクリートポンプ車の残こん処理装置。
【請求項７】
受搬送具の吊り紐は、断面扁平形の無端紐であって、ループ状に折り曲げられた各端が底面シート又は延展シートの端縁より突出するように形成し、少なくとも底面シート下側面には強固に貼着又は縫着させることを特徴とする請求項１乃至６のいずれか１項に記載のコンクリートポンプ車の残こん処理装置。
【発明の詳細な説明】
【技術分野】
【０００１】  本発明は、コンクリートポンプ車によってコンクリート打設がされた、その作業終了後には、このコンクリートポンプ車に生コンクリートの残こんが残留するので、この残こんを処理するために用いる残こん処理装置に関するものである。
【背景技術】
【０００２】  コンクリート打設に用いられるコンクリートポンプ車には、ピストン式と、スライズ式とのポンプ搭載の車両があるが、最近の建築の高層化に伴って、これに対応できるものとしてピストン式コンクリートポンプ車が普及されている。【０００３】  このピストン式コンクリートポンプ車においては、コンクリート打設されたその作業終了後には、必ず生コンクリートの残こんがかなり残留される。
そこで、ピストン式コンクリートポンプ車では、コンクリート打設作業終了後、ピストン、ホッパ底部等に残留する生コンクリートの残こんが油圧装置で開閉するホッパ底部の底蓋を開いて掻き出され、そして、高圧洗浄される。【０００４】  しかしながら、この生コンクリートの残こんの処理には、規制があって、コンクリート打設現場にて、そのまま廃棄放置してしまうわけにはいかないので、残こん処理場まで持参することが余儀なくされている。
また、コンクリート打設作業終了後に、コンクリートポンプ車の残こんを掻き出すことができたとしても、その掻き出した後を洗浄する洗浄場所が必ずしもコンクリート打設作業現場内に設けられているわけでないので、遠方のプラントまでコンクリートポンプ車を移動させて処理していた。
しかし、立地条件を満たす遠方のプラントは、そこへ至るためには時間を要し、時間的ロス、人的ロス等が大きかった。【０００５】  そこで、時間的ロス、人的ロス等を少しでも軽減するこのコンクリートポンプ車の残こんの処理のために、掻き出された残こんが受搬送具の袋に受けられて、この袋をホイストで吊り上げてコンクリートミキサー車に回収し、残こん処理場へ運ぶようにするコンクリートポンプ車の残こん処理装置がある。（特許文献１）【０００６】  また、コンクリートミキサー車への回収が困難であったので、中央に排出口を設けた四角のシートでなるモッコで残こんを受け、このモッコの四隅の吊フックがクレーンで吊り上げられ、残こんをこの排出口よりコンクリートミキサー車のホッパへ注入するコンクリートポンプ車の残こん処理装置がある。（特許文献２）【０００７】
【特許文献１】  実開平１−１４８４５５号
【特許文献２】  実用新案登録第３０９７３５２号
【発明の開示】
【発明が解決しようとする課題】
【０００８】  コンクリート打設作業終了後に、コンクリートポンプ車に残留する残こんを、一応用意された袋またはシートのモッコの受搬送具へ掻き出し受けて、これがクレーン車等の昇降機をもって吊り上げられて、コンクリートミキサー車に回収させるものの、コンクリートポンプ車の残こん処理には、残存する生コンクリートの残こんが掻き出され、高圧洗浄されると、これを受ける受搬送具が、袋やシートのモッコのようなものであると貯留能力が低く、この洗浄に基ずくコンクリート汚水の量が半端でないので、流れ出してしまうことになる。
そして、この残こん及びコンクリート汚水の処理が、コンクリート打設現場で行えず、任意場所へ移動して行なわれたとしても、袋やシートのモッコから流れ出すことにはかわりなく、周囲を汚染してしまう。ましてや、処理する場所が傾斜している地面では流れ出しが甚だしく、処置なしである。【０００９】  だからといって、袋やシートのモッコを貯留能力の高いものにするために囲いなどで囲むとしても、それには、作業が手際よくできない時間的ロスと作業的ロスが生じ、不都合であった。【００１０】  また、周囲を汚染しないために、コンクリート打設作業終了後、コンクリートポンプ車が、残こん処理できる任意場所へ移動されて残こんを処理することにしても、このときは、コンクリートポンプ車が、コンクリート打設作業のため張出して位置固定させているアウトリガーを引込め、もとにもどされなければ移動できず、固まらないうちに残こんの処理を一刻も早くすることが望まれているのに、この作業をするための時間的ロスと作業的ロス等が重なり、不都合である。【００１１】  そこで、本発明は、以上のような不都合が解決されるべく、コンクリートポンプ車によってのコンクリート打設作業終了後の残こん、及び洗浄したコンクリート汚水を流れ出させない、そして取り扱い易い受搬送具による残こん処理装置を提供することにある。
【課題を解決するための手段】
【００１２】  本発明のコンクリートポンプ車の残こん処理装置は、コンクリート打設作業終了後に、コンクリートポンプ車に残留する残こん、及びその洗浄によるコンクリート汚水を掻き出し、下で受搬送具に受け、この受搬送具をクレーン等の昇降機で吊り上げて、コンクリートミキサー車のポッパへ注入され、残こん及びコンクリート汚水がコンクリートミキサー車でプラントへ運ばれ、砂、砂利等の再利用できる処理がされるにあたって、受搬送具が円形チューブの空気フェンスと、該空気フェンスの底面に緊張される底面シートとで構成され、底面シートの中央には排出ノズルを備え、且つ底面シートには少なくとも２本の吊り紐が排出ノズルを囲むように交差させて貼着配設されているものである。【００１３】  コンクリートポンプ車の残こん処理装置は、受搬送具が、円形チューブの空気フェンスと、該空気フェンスの底面に緊張される底面シートと、この底面シートの外周へ放射状に延展する、残こん及びコンクリート汚水の飛散を受け止める延展シートとで構成され、底面シートの中央には排出ノズルを備え、且つ底面シートと延展シートとの下側面には少なくとも２本の吊り紐が排出ノズルを囲むように交差させて、強固に貼着配置されているものである。【００１４】  コンクリートポンプ車の残こん処理装置は、受搬送具の空気フェンスが少なくとも２個の円形チューブを嵩高に積重ねられ、その相互の空気が流通可能とし、且つ空気注入口を頂部に、空気抜き口を底部に形成するものである。【００１５】  コンクリートポンプ車の残こん処理装置は、受搬送具が少なくとも空気フェンスの内側面及び底面シートの上側面にはゴムをラミネートするか、又はこれら部分をゴム製とするものである。【００１６】  コンクリートポンプ車の残こん処理装置は、受搬送具が排出ノズルを底面シート下側面の中央に垂下し、排出ノズルを開閉する信玄袋の口のような締め括る紐が備えられているものである。【００１７】  コンクリートポンプ車の残こん処理装置は、受搬送具の排出ノズルが、底面シート下側面の中央に垂下し、その自由端口部には硬質のリンクが装着され、底面シートに吊り紐から排出ノズル基部へ配設された補強紐の排出ノズル側端に少なくとも２組の安全バックルとベルトでなる括り締め止め具が備えられ、排出ノズルを捩り、排出ノズル内へ挿入盛込む状態で自由端口部のリングが括り締め止め具をもって、安全締着されるものである。【００１８】  コンクリートポンプ車の残こん処理装置は、受搬送具の吊り紐が断面扁平形の無端紐であって、ループ状各端が底面シート又は延展シートの端縁より突出するように形成し、少なくとも底面シート下側面には強固に貼着又は縫着させるものである。
【発明の効果】
【００１９】  本発明のコンクリートポンプ車の残こん処理装置は、コンクリート打設作業終了後に、コンクリートポンプ車を移動させることなく、その作業現場でホッパ底蓋部を開いて、生コンクリートの残こん及びその洗浄によるコンクリート汚水を、その周囲が汚染されることなく受搬送具で受けて、コンクリートミキサー車へ全部回収でき、回収したコンクリートの残こん及びその洗浄によるコンクリート汚水が固まらないように攪拌作動させた該コンクリートミキサー車をプラントへ移動させて処理され、砂、砂利などが再利用できるようになるので、この過程においての人的ロス、及び作業員の時間的ロスをなくし、そして、資材などを多大に軽減することができる。【００２０】  そして、本発明の受搬送具が、高い貯留能力と、迅速且つ良好な設置作業性とを有するものであるので、掻き出された残こん及びその洗浄によるコンクリート汚水を即時に全部受入れることができ、道路などへ溢れ出して周囲を汚染させるようなことなくできる。またコンクリートミキサー車へ回収することができるので、残こんを掻き出し、洗浄のために任意箇所へコンクリートポンプ車を移動させる必要がなく、コンクリート打設の際に、コンクリートポンプ車を位置固定するために張出させたアウトリガーが移動で引込められる必要なく、作業がコンクリート打設現場のその場で簡単かつ容易にでき、作業員の負担を軽減できる。【００２１】  また、この受搬送具が、円形チューブを嵩高に積み重ねて空気フェンスに形勢したものであるので、空気フェンスの空気を抜けばシート状にして折畳み、コンパクトにでき、安易にコンクリートポンプ車に搭載所持することができ、利便性があり、誰でも手順に従えば、迅速に、且つ容易にコンクリートポンプ車の残こん掻き出し、及び洗浄作業をすることができる。【００２２】  そして、受搬送具は、空気フェンスで構成されていることによって、受搬送具を吊り上げるために、空気抜き口を開いて空気フェンスの空気を抜くと、空気が抜かれても、コンクリート残こん及び洗浄によるコンクリート汚水が入っている部分位置までは潰れずに突張っており、入っていない部分は空気が抜けてへたった状態となる。
そこで、吊り紐で吊り上げられることにより、空気フェンスの径が絞められても、空気フェンスは突張られた状態で残こん及びコンクリート汚水を盛り上げ、盛り上がっても、空気の抜けた空気フェンスの部分で囲むことになって、残こん及びコンクリート汚水を流し出したり、零すことがないようにできる。【００２３】  また、空気フェンス及び底面シートは、ゴム製またはゴムのラミネートが施されたものであると、生コンクリートの残こん及び洗浄によるコンクリート汚水の脱離がよく、流れ落ち易く、よって、付着していないので耐久性を増すことができ、持久性に優れたものになる。【００２４】  受搬送具の排出ノズルは、信玄袋の口のような締め括り紐での結び、解きで開閉できるので、作業操作が簡単且つ容易にできる。【００２５】  受搬送具の排出ノズルは、その自由端口部に硬質リングが装着され、排出ノズルを捩り、この捩られることによって、該排出ノズルを迫り上げて、捩れ部分が裏返しされながら排出ノズル内へ挿入盛込む状態となり、自由端口部の硬質リングも排出ノズル基部へ上げられ、該排出ノズル基部に配設された少なくとも２組の安全バックルとベルトでなる括り締め止め具で括り締め止められるので、排出ノズルの開閉が、簡単且つ容易に、そして確実にできる。よって、このような排出ノズルを備えた受搬送具の現場での設置が迅速且つ容易に出来る。
そして、コンクリートミキサー車へ運んでいった折には、単に、いとも簡単に括り締め止め具が解除できるので作業が容易にできる。【００２６】  この受搬送具が用いられることによって、コンクリート打設の作業終了後、その作業現場で直ちに残こんの掻き出し、及び洗浄ができ、これが速やかにコンクリートミキサー車へ回収されて、直ちにプラントへ運ばれ、時間を経ずして砂、砂利が分離され、再利用できる処理ができるので材料に無駄なく、よって、経済的であるとともに、産業廃棄物としてのコンクリートガラを生じることがないので、その周囲の環境汚染の原因となることを解消できる。
【発明を実施するための形態】
【００２７】  コンクリート打設現場で、作業終了後にコンクリートポンプ車に残留する残こん、及びその洗浄によるコンクリート汚水を掻き出し、下で受搬送具に受け、この受搬送具をクレーン等の昇降機で吊り上げて、掻き出し受けた残こん及びコンクリート汚水がコンクリートミキサー車のホッパへ注入され、コンクリートミキサー車でプラントへ運ばれる。このように再利用できる処理がされるコンクリートポンプ車残こん処理装置であって、この受搬送具Ａは、図１、図２で示す如く、円形チューブの空気フェンス１と、該空気フェンスの底面に緊張される底面シート２と、この底面シート２の外周へ放射状に延展する残こん及びコンクリート汚水の飛散を受け止める延展シート３とで構成され、底面シート２の中央には、排出ノズル４を備え、且つ底面シート２と延展シート３との下側面には少なくとも２本の吊り紐５が排出ノズル４を囲むように交差させて強固に貼着配設されている。
【００２８】  空気フェンス１は少なくとも２個の円形チューブ１１を嵩高に積重ねられ、この相互の円形チューブ１１には空気が流通可能に連通孔を形成されている。
そして、この空気フェンス１の頂部には空気注入口１２が、また、底部には空気抜き口１３が形成され、空気注入口１２は比較的小さく、空気抜き口１３は比較的大きい孔である。
【００２９】  受搬送具Ａの実寸は、コンクリートポンプ車の車幅が約２４００ｍｍに対し、直径１００ｍｍの円形チューブ１１の３段重ねによる高さ３００ｍｍの空気フェンス１であって、その直径を１７００ｍｍとし、また、延展シート３の外径を３５００ｍｍとし、底面シート２と延展シート３との下側面に貼着配設される吊り紐５の幅を５０ｍｍとする。
そして、受搬送具Ａは、少なくとも空気フェンス１の内側面及び底面シート２の上側面にはゴムをラミネートするか、又はこれら部分をゴム製としてもよい。
なお、底面シート２の空気フェンス１位置下側面には、補強のため、吊り紐５と同じの５０ｍｍ幅の帯が粘着されていてもよい。
【００３０】  本発明の受搬送具Ａの排出ノズル４は、図３で示す如く、底面シート２下側面中央に垂下させ、ノズル口４１を信玄袋の口のように締め括る括り紐４２で開閉する。
排水ノズル４は、４００ｍｍ径の８００ｍｍ長さのものとし、括り紐４２は、直径２０ｍｍの紐であって、信玄袋の口のように排出ノズル４の周囲を２重巻きに通されて、両側より突出した２本のループ状紐端を引張ることによって（図３（ｂ））、ノズル口４１を閉じることのできるものである。
そして、ノズル口４１を完全に閉じるには、排出ノズル４を折り込むことによって達成できる（図３（ｃ））。
【００３１】  現状のコンクリート打設現場では、コンクリートポンプ車を設置する場所にはコンクリート残こん及びコンクリート汚水の飛散を受け止めるためのグリーンシートが往々に敷設されている。
このようにグリーンシートの敷設された場所では、コンクリートポンプ車の残こん及びその洗浄によるコンクリート汚水を掻き出し、受け止める受搬送具Ａ１には、残こん及びコンクリート汚水の飛散を受け止める延展シートが不要のことである。
図４、図５は、この延展シートのない受搬送具Ａ１を開示するものであって、円形チューブの空気フェンス１ａと、該空気フェンスの底面に緊張される底面シート２ａと、該底面シートの中央に下方へ延びる排出ノズル４ａと、該排出ノズルを囲むように底面シート２ａの下側面に貼着される少なくとも２本の吊り紐５ａとで構成される。
図中、１０ａは、吊り紐５ａと、排出ノズル４ａと間の底面シート２ａ下側面に補強のため貼着された補強紐である。
【００３２】  空気フェンス１ａは、少なくとも２個の円形チューブ１１ａを積み重ね、この相互の円形チューブ１１ａには空気が流通されるよう連通孔を形成する。
そして、この空気フェンス１ａの頂部には、空気注入口１２ａが、また、底部には空気抜き口１３ａが形成されている。
【００３３】  この受搬送具Ａ１の実寸は、直径２００ｍｍ円形チューブ１１ａの２段重ねによる直径１６２０ｍｍの空気フェンス１ａであって、該空気フェンス底面に緊張される底面シート２ａの中央には直径４００ｍｍ、長さ６００ｍｍの排出ノズル４ａが備えられ、且つ底面シート２ａには吊り紐５ａを貼着させる。
吊り紐５ａは、９００ｍｍ間隔で並行した幅１００ｍｍの吊り紐５ａの２組が排出ノズル４ａを囲むように交差させられている。
そして、該吊り紐５ａと排出ノズル４ａの基部との間には、補強紐１０ａが貼着されている。
【００３４】  本発明の受搬送具Ａ１の排出ノズル４ａは、図６で示す如く、底面シート２ａ下側面中央に垂下させ、その自由端口部４１ａには、硬質のリング４２ａが装着され、底面シート２ａに吊り紐５ａから排出ノズル基部へ配設された補強紐１０ａの排出ノズル側端に少なくとも２組の安全バックル４３ａとベルト４４ａとでなる括り締め止め具４５が備えられ、この括り締め止め具４５にて、排出ノズル４ａの開閉をする。
排出ノズル４ａは、先ず、図６（ｂ）の如く、排出ノズル４ａを捩り、図６（ｃ）の如く、捩ることによって、該排出ノズルを迫り上げて捩れ部分が裏返しされながら排出ノズル４ａ内へ挿入盛込む状態で、自由端口部の硬質リング４２ａが括り締め止め具４５をもって安全締着されて排出ノズル４ａが閉じられる（図６（ｄ））。
そして、括り締め止め具４５をその締着の解除がされることによって、排出ノズル４ａの捩りが解けて伸び、開かれることになる（図６（ａ））。
【００３５】  なお、これら受搬送具Ａ，Ａ１の底面シート２，２ａには、その受搬送具の移動を容易にできるようにするために、キャスターが取付けられていてもよいことは云うまでもない。
【００３６】  ところで、ピストン式コンクリートポンプ車Ｂによってコンクリート打設されたその作業終了後のこのコンクリートポンプ車には、生コンクリートの残こんが、シリンダ、ホッパ底部などに残留しているので、次回のコンクリート打設作業の準備保全のために残こんを排出し、洗浄しておかなければならない。しかし、この残こん及び洗浄によるコンクリート汚水を作業現場に排出放置するわけにはゆかず、だからといって、残こんをコンクリートポンプ車Ｂに残したままで処理装置を備えたプラントまで運ぶには、該プラントが遠方にあり、時間を要するので残こんが固まってしまって不都合である。
そこで、この点を解決するためには、コンクリートポンプ車の残こんを作業終了後、直ちに排出し、再度の使用のため洗浄したコンクリート汚水（かなりの量の水を使用）をもプラントでないコンクリート打設現場で処理できるようにすることにある。
図７に示す如く、コンクリートポンプ車Ｂは、コンクリート打設の為にアウトリガー６を張り出させ、足場固めしたその状態で、コンクリートポンプ車に搭載保持していた受搬送具Ａ、Ａ１をコンクリートポンプ車Ｂのホッパ底蓋部７１の下方に敷き、コンクリートポンプ車が備えている高圧装置（高圧洗浄などに使用するため備えている）８によって、空気注入口１２、１２ａより空気を入れて空気フェンス１、１ａを膨らませて起立させ、セットされる。
コンクリートポンプ車Ｂのホッパ７の底蓋部７１にある油圧装置で開閉する蓋部７２を開き、残こんを受搬送具Ａ、Ａ１に掻き出し入れ、高圧装置８で高圧洗浄する。この洗浄によるコンクリート汚水は同様に受搬送具Ａ、Ａ１に受入れられる。
そこで、空気フェンス１、１ａによって残こん及びコンクリート汚水が溢れ出すことなく、そして、受搬送具Ａの空気フェンス１の外周には、コンクリート残こん及びコンクリート汚水の飛散を受け止める延展シート３が延展され、また、受搬送具Ａ１の空気フェンス１ａの外周には延展シートの延展がないが、受搬送具下に、グリーンシートが敷設されているので飛散する残こん及びコンクリート汚水をそれで受け止め、周囲を全く汚染することなくできる。
図中、７３は、コンクリートポンプ車Ｂのホッパ７の網である。
【００３７】  残こん及びコンクリート汚水は、図８に示す如く、受搬送具Ａ、Ａ１が吊り紐５、５ａを底面シート２、２ａ及び延展シート３に貼着され、また、底面シート２、２ａには、吊り紐５，５ａの貼着が強固にさせるために縫着しているので、この吊り紐５、５ａによってクレーン等の昇降機Ｃで吊り上げられ、コンクリートミキサー車Ｄのホッパ９に運び注入することができる。
注入するに当たって、受搬送具Ａの場合は、その排出ノズル４の括り紐４２が緩められると注出され、受搬送具Ａ１の場合は、排出ノズル４ａの括り締め止め具４５の締着を解除すれば注出されるようになる。
【００３８】  そして、受搬送具Ａ、Ａ１は、残こん及びコンクリート汚水の触れる空気フェンス１、１ａ及び底面シート２、２ａの内側面にゴムのラミネート、又はゴム製とすることで、付着せずに流れ落ち、空になった受搬送具Ａ、Ａ１は空気フェンス１、１ａの空気がその底部にある空気抜き口１３、１３ａを開いて抜かれることによってコンパクトに折り畳むことができ、コンクリートポンプ車Ｂに搭載保持できることになる。
【００３９】  コンクリートミキサー車Ｄに回収された残こん及びコンクリート汚水はプラントへ運ばれ、残こん処理装置により砂、砂利が再利用できるように処理される。
【図面の簡単な説明】
【００４０】
【図１】  コンクリートポンプ車の残こん処理装置である受搬送具の平面図である
【図２】  受搬送具の側面図である。
【図３】  （ａ）受搬送具の排出ノズルの側面図である。（ｂ）受搬送具の排出ノズルの括り紐を締め括った状態図である。（ｃ）受搬送具の排出ノズルのノズル口を完全に閉じた状態図である。
【図４】  コンクリートポンプ車の残こん処理装置である他の実施例の受搬送具の平面図である。
【図５】  他の実施例の受搬送具の側面断面図である。
【図６】  （ａ）他の実施例の受搬送具の排出ノズルの側面図である。（ｂ）他の実施例の受搬送具の排出ノズルの捩り状態図である。（ｃ）他の実施例の受搬送具の排出ノズルの括り締め止め具による締着状態図である。（ｄ）括り締め止め具による締着状態平面図である。
【図７】  コンクリートポンプ車の後部図である。
【図８】  受搬送具が吊り上げられた状態図である。
【符号の説明】
【００４１】      Ａ、Ａ１      受搬送具
Ｂ            コンクリートポンプ車
Ｃ            昇降機
Ｄ            コンクリートミキサー車
１、１ａ      空気フェンス
１１、１１ａ  空気チューブ
１２、１２ａ  空気注入口
１３、１３ａ  空気抜き口
２、２ａ      底面シート
３            延展シート
４、４ａ      排出ノズル
４１          ノズル口
４２          括り紐
４２ａ        リング
４３ａ        安全バックル
４４ａ        ベルト
４５          括り締め止め具
５、５ａ      吊り紐
６            アウトリガー
７            ホッパ
７１          ホッパ底蓋部
７２          蓋部
７３          網
８            高圧装置
９            コンクリートミキサー車のホッパ
【図１】
2008075442.tif 000003
【図２】
2008075442.tif 000004
【図３】
2008075442.tif 000005
【図４】
2008075442.tif 000006
【図５】
2008075442.tif 000007
【図６】
2008075442.tif 000008
【図７】
2008075442.tif 000009
【図８】
2008075442.tif 000010